【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
戸枠の第１長尺固定枠に配設され、引戸の閉動中に該引戸に対してブレーキを掛けるダンパー部材を有する制動装置と、該制動装置の制動力が作用して閉動中の引戸が減速しかつ引戸が完全に閉まる前に引戸に設けられた被係合部材を保持する捕捉部材を備えると共に該引戸を完全に閉鎖する引き込み装置の組み合わせから成る引戸の開閉装置であって、前記引き込み装置は、前記第１長尺固定枠とは別個の第２長尺固定枠内に構成部材がユニット的に組み込まれ、前記構成部材は、前記第２長尺固定枠の先端部に回転可能に設けられかつ引き込み荷重を制御する回転部材と、この回転部材と前記第２長尺固定枠の水平案内部に案内される前記捕捉部材にそれぞれ連結された第１索条部材と、その後端部が前記第２長尺固定枠に、一方、その先端部が第２索条部材を介して前記回転部材に連結された引き込みバネとから成り、前記捕捉部材は、前記第２長尺固定枠の水平案内部に係合すると共に前記第１索条部材に連結された捕捉スライダーと、該捕捉スライダーに基部が横軸を介して軸支され、かつ、前記水平案内部に連通する係止部に係脱する係合ピンを有すると共に前記基部に連設するキャチ部分が外方向に延在する受け止め片と、該受け止め片と前記捕捉スライダーに連結された受け止め片用復帰バネとから成る引戸の開閉装置。
【請求項２】
請求項１に於いて、前記ダンパー部材は、少なくとも長杆スライダーと該長杆スライダー用の緩衝部材とから成り、前記ロック装置は、前記基板スライダーに設けた水平可動係合板を介して該基板スライダーを係止する揺動レバーであり、閉動中の引戸に押圧片を介してブレーキをかける際、前記押圧片が前記長杆スライダーの後端部を押し付けると前記緩衝部材の制動力が作用し、次いで、前記押圧片が前記水平可動係合板を押し付けることにより前記揺動レバーのロックが解かれると共に、引戸の略閉止位置までは前記緩衝部材による制動が解かれることを特徴とする引戸の開閉装置。
【請求項３】
引戸が完全に閉まる前に引戸に設けられた被係合部材を保持する捕捉部材を備えると共に、該引戸を完全に閉鎖する引き込み装置を有する引戸の開閉装置であって、前記引き込み装置は、長尺固定枠内に構成部材がユニット的に組み込まれ、前記構成部材は、前記長尺固定枠の先端部に回転可能に設けられかつ引き込み荷重を制御する回転部材と、この回転部材と前記長尺固定枠の水平案内部に案内される前記捕捉部材にそれぞれ連結された第１索条部材と、その後端部が前記長尺固定枠に、一方、その先端部が第２索条部材を介して前記回転部材に連結された引き込みバネとから成り、前記捕捉部材は、前記長尺固定枠の水平案内部に係合すると共に前記第１索条部材に連結された捕捉スライダーと、該捕捉スライダーに基部が横軸を介して軸支され、かつ、前記水平案内部に連通する係止部に係脱する係合ピンを有すると共に、前記基部に連設するキャチ部分が外方向に延在する受け止め片と、該受け止め片と前記捕捉スライダーに連結された受け止め片用復帰バネとから成る引戸の開閉装置。
【請求項４】
請求項３に於いて、回転部材は横軸に軸支されたプーリーであり、受け止め片が閉動する引戸の被係合部材をキャッチし、その状態で長尺固定枠からの係止状態が解かれとき、引き込みバネの引張力により回転しながら第１索条部材を巻き取る一方、第２索条部材を伸ばしていくことを特徴とする引戸の開閉装置。
【請求項５】
請求項３又は請求項４に於いて、回転部材は、横軸の軸方向に第１索条部材を巻き取る第１周胴部と、該第１周胴部に一体に設けられかつ第２索条部材を繰出す第２周胴部とを有し、前記第１周胴部の第１索条部材を巻き取る量が第２周胴部の第２索条部材を繰出す量よりも多くなることを特徴とする引戸の開閉装置。
【手続補正２】
【補正対象書類名】明細書
【補正対象項目名】全文
【補正方法】変更
【補正の内容】
【発明の詳細な説明】
【発明の名称】引戸の開閉装置
【技術分野】
【０００１】
本発明は引戸の開閉装置に関し、引戸を閉る際にブレーキがかかるように速度を減速制御する「制動装置」、閉動中の引戸を完全閉鎖位置まで引き込む「引戸の引き込み装置」等を有する引戸の開閉装置に関する。
【背景技術】
【０００２】
特許文献１には、「略コ字型長尺固状の定枠（収納レール）６を上枠に水平方向に固定し、この長尺固定枠６の先端部側の中にダンパー５を構成する長尺ダンパーシリンダ７を水平状態に組み込み、この長尺ダンパーシリンダ７の作動杆（シリンダロッド）１３の突出先端部を引戸本体１の上端部に突設した支持金具１５の当たり１６に衝突するように構成し、渦巻きバネ４で閉戸方向に引かれる引戸の閉動中に前記引戸本体１の当たり１６が前記作動杆１３に当ると、ダンパー５の制動力が作用して、引戸本体１が強力に縦枠に衝突しない事項」が記載されている。
【０００３】
この特許文献１は、引戸本体１用の「引き込み装置」として、略コ字型長尺固状の定枠（収納レール）６の先端部に固定したケーシング内の渦巻きバネ４を利用し、該渦巻きバネ４は、引戸本体１を全開する位置まで該引戸本体１の開き動作に連動して繰出される。すなわち、渦巻きバネ４は引戸本体１が収納レール６の後端部に設けた受けマグネット１８に磁着する位置まで繰出されるので、渦巻きバネ４を長くする、該渦巻きバネのケーシングを大きくする必要である等の問題点があった。
【０００４】
また引戸本体１用の制動装置として、長尺ダンパーシリンダ７を採用しているので、複数のダンパー手段により、いわば車のブレーキを踏むように段階的に弱・強の制動力を付与することができない、長尺ダンパーシリンダ７は高価である、装置が大掛りとなる等の問題点があった。
【０００５】
特許文献２には、「上枠２の戸先側竪枠４に近い位置に長尺固定枠２０を水平状態に固定し、この長尺固定枠２０内に制動装置１２を取り付け、該制動装置１２は、引戸引き込み手段と、引戸１の閉まり際にブレーキをかけ緩衝するダンパー１６と、引戸保持部材１８とを備え、前記引戸引き込み手段は、ぜんまいばね１３を収納するぜんまいばねケース１４と、ぜんまいばねケース１４から繰り出される索状体１５とから成り、一方、前記引戸保持部材１８は、前記ダンパー１６のピストンロッド１６ａの先端に結合されるとともに索状体１５の他端に結合され、さらに、引戸１側には前記引戸保持部材１８に嵌入する被保持部材３８を備え、引戸保持部材１８が制動装置１２のケース２０内面のガイド溝３５の端部に位置したときに引戸保持部材１８の進入を待機する状態を維持できるように構成した事項」が記載されている。
【０００６】
この特許文献２のダンパーは、特許文献１と同様に長尺ダンパーシリンダ１６ｂを採用し、さらに引戸が完全に閉まる直前状態で引戸に強い制動力を付与するために長尺固定枠２０内の先端部（縦枠）側に圧縮バネ１９を組み込み、該圧縮バネ１９の先端部を前記長尺ダンパーシリンダ１６ｂの端面に当接させている。したがって、引戸が縦枠に衝突することを完全に防止することができるという利点があるものの、特許文献１と同様に長尺ダンパーシリンダ１６ｂを採用しているので、低コイト化を図ること、装置の小型化或いはユニット化を図ることが困難である、引戸が完全に閉まる前までに引戸に対して弱・強の制動力を付与することができるか否か不明である等の問題点がある。なお、符号は各特許文献のものである。
【先行技術文献】
【特許文献】
【０００７】
【特許文献１】実公平６−２２７８７号公報
【特許文献２】特開２０１０−１３３２２１号公報
【発明の概要】
【発明が解決しようとする課題】
【０００８】
本願発明の主たる目的は、特許文献１の問題点に鑑み、引戸が完全に閉まる前（例えば引戸が完全に閉鎖するようにアシストする引き込み装置が作用する前）までに、引戸に対して制動力を付与することができると共に、安価な構成の引き込み装置により、引戸を完全に閉鎖することができる引戸用ソフトクローズ装置を提案することである。次に本願発明の目的は、取付けの容易性を図るために装置の小型化或いはユニット化を図ることである。さらに、本願発明の目的は、引戸が完全に閉まる前に引戸に設けられた被係合部材を保持する捕捉部材を備えると共に、該引戸を完全に閉鎖する引き込み装置を有する引戸の開閉装置であって、引戸を完全に閉鎖することができるように、引き込み装置を構成する回転部材が、第１索条部材を巻き取る際、第２索条部材の繰出す量を極力少なくして引き込みバネの引込み力を低下させない（バネ力を弱くしない）ことである。加えて、引戸を容易に開くことである。
【課題を解決するための手段】
【０００９】
本発明の引戸の開閉装置は、戸枠の第１長尺固定枠に配設され、引戸の閉動中に該引戸に対してブレーキを掛けるダンパー部材を有する制動装置と、該制動装置の制動力が作用して閉動中の引戸が減速しかつ引戸が完全に閉まる前に引戸に設けられた被係合部材を保持する捕捉部材を備えると共に該引戸を完全に閉鎖する引き込み装置の組み合わせから成る引戸の開閉装置であって、前記引き込み装置は、前記第１長尺固定枠とは別個の第２長尺固定枠内に構成部材がユニット的に組み込まれ、前記構成部材は、前記第２長尺固定枠の先端部に回転可能に設けられかつ引き込み荷重を制御する回転部材と、この回転部材と前記第２長尺固定枠の水平案内部に案内される前記捕捉部材にそれぞれ連結された第１索条部材と、その後端部が前記第２長尺固定枠に、一方、その先端部が第２索条部材を介して前記回転部材に連結された引き込みバネとから成り、前記捕捉部材は、前記第２長尺固定枠の水平案内部に係合すると共に前記第１索条部材に連結された捕捉スライダーと、該捕捉スライダーに基部が横軸を介して軸支され、かつ、前記水平案内部に連通する垂直係止部に係脱する係合ピンを有すると共に前記基部に連設する指状キャチ部分が外方向に延在する受け止め片と、該受け止め片と前記捕捉スライダーに連結された受け止め片用復帰バネとから成ることを特徴とする（請求項１）。
【００１０】
また本発明の引戸の開閉装置は、引戸が完全に閉まる前に引戸に設けられた被係合部材を保持する捕捉部材を備えると共に、該引戸を完全に閉鎖する引き込み装置を有する引戸の開閉装置であって、前記引き込み装置は、長尺固定枠内に構成部材がユニット的に組み込まれ、前記構成部材は、前記長尺固定枠の先端部に回転可能に設けられかつ引き込み荷重を制御する回転部材と、この回転部材と前記長尺固定枠の水平案内部に案内される前記捕捉部材にそれぞれ連結された第１索条部材と、その後端部が前記長尺固定枠に、一方、その先端部が第２索条部材を介して前記回転部材に連結された引き込みバネとから成り、前記捕捉部材は、前記長尺固定枠の水平案内部に係合すると共に前記第１索条部材に連結された捕捉スライダーと、該捕捉スライダーに基部が横軸を介して軸支され、かつ、前記水平案内部に連通する係止部に係脱する係合ピンを有すると共に、前記基部に連設するキャチ部分が外方向に延在する受け止め片と、該受け止め片と前記捕捉スライダーに連結された受け止め片用復帰バネとから成ることを特徴とする（請求項３）。
【発明の効果】
【００１１】
（ａ）請求項１に記載の発明は、特許文献１のように、引戸が全開する位置まで伸びる渦巻きバネを採用せず、引戸が完全に閉まる前に引き込み装置が作用するように、制動装置を設けた第１長尺固定枠とは別個の第２長尺固定枠内に引き込み装置の構成部材（捕捉部材、回転部材、牽引部材及び引き込みバネ）をユニット的に組み込んだので、取付けの容易性、装置の小型化、低コスト化等を実現することができる。
（ｂ）請求項２に記載の発明は、引戸の閉戸時に、引戸に対して制動力を付与することができる。付言すると、例えば引戸が完全に閉まる前までに引戸に対して制動力を付与する一方、引戸が完全に閉鎖するようにアシストする引き込み装置を組み合わせることによって、所望の引戸の開閉装置を得ることができる。また引戸の閉動中、その押圧片が水平可動係合板を押し付けることにより揺動レバーのロックが解かれると共に、該水平可動係合板にバネ部材を介して牽引される基板スライダーに対して第２復帰バネの制動力が作用するので、水平可動係合板の移動する分、引戸に対する制動力が作用する時間がかかり（いわば急ブレーキでなくなり）、可能な限り、引戸をソフトクローズすることができる。
（ｃ）請求項３に記載の発明は、引き込み装置の構成部材（捕捉部材、回転部材、牽引部材及び引き込みバネ）をユニット的に組み込んだので、取付けの容易性、装置の小型化、低コスト化等を実現することができる。
（ｄ）請求項４に記載の発明は、回転部材は横軸に軸支されたプーリーであり、受け止め片が閉動する引戸の被係合部材をキャッチし、その状態で長尺固定枠からの係止状態が解かれとき、引き込みバネの引張力により回転しながら第１索条部材を巻き取る一方、第２索条部材を伸ばしていくので、引き込み装置を小型化することができる。
（ｅ）請求項５に記載の発明は、回転部材は、横軸の軸方向に第１索条部材を巻き取る第１周胴部と、該第１周胴部に一体に設けられかつ第２索条部材を繰出す第２周胴部とを有し、前記第１周胴部の第１索条部材を巻き取る量が第２周胴部の第２索条部材を繰出す量よりも多くなるので、引き込みバネの引込み力を低下させない（バネ力を弱くしない）ことができる。したがって、引戸を完全に閉鎖することができる。
【図面の簡単な説明】
【００１２】
図１乃至図２１は本発明の第１実施形態を示す各説明図である。
【図１】第１実施形態の環境全体を正面視から示す概略説明図。
【図２】制動装置１２の正面視から示す概略説明図（引戸の押圧片も図示）。
【図３】図２の３−３線概略断面図。
【図４】図２に於いて、ロック装置を省略した概略説明図。
【図５】ロック装置を構成する部材の説明図（固定ピン、水平可動係合板、揺動レバー）。
【図６】第１復帰機構の作用を示す説明図（押圧片が当たる前）。
【図７】押圧片が水平可動係合板にも当たった時の説明図。
【図８】ロック装置の解除開始から第２復帰機構の制動力が加味された説明図。
【図９】引戸が開く方向に移動してロック装置の揺動レバーが第２復帰機構の基板スライダーの固定ピンをロックする説明図。
【図１０】ハンドルユニットの斜視からの説明図（操作前）。
【図１１】ハンドルユニットの斜視からの説明図（操作後）。
【図１２】引き込み装置を表側から見た説明図。
【図１３】引き込み装置を裏側から見た説明図。
【図１４】捕捉部材の説明図。
【図１５】回転部材の説明図。
【図１６】回転部材に対する索引部材の先端部の連結構造を示す説明図。
【図１７】引き込み直前の説明図（被係合部材が捕捉部材の受け止め片に接近中）。
【図１８】ロック解除開始の説明図（被係合部材が捕捉部材の受け止め片の指状キャチ部分に当接）。
【図１９】ロック解除／引き込み開始の説明図。
【図２０】引き込み終了の説明図。
【図２１】捕捉部材の受け止め片が垂直係止部に係止される状態の説明図。
【発明を実施するための最良の形態】
【００１３】
図１乃至図２１は本発明の実施形態を示す各説明図である。引戸の開閉装置Ｘは、引戸の閉りの際にブレーキがかかるように速度を減速制御する「制動装置１２」と、閉動中の引戸を完全閉鎖位置まで引き込む「引戸の引き込み装置５０」と組み合わせから成り、実施形態如何によっては「ハンドルユニット４」が加味され得る。
【００１４】
図１を参照にして、引戸の開閉装置Ｘの環境全体を説明する。１は建具の開口部（出入り口）２を形成する戸枠で、該戸枠１は上枠（鴨居）１ａと、下枠（敷居）１ｂと、左右の縦枠１ｃ、１ｄとから成る。３は前記開口部２に設けられた引戸で、該引戸３は手動で開閉動する。引戸３は、例えばアルミニューム等の金属材料から成る上框、下框、左右の縦框から成る矩形枠状のフレームと、該フレーム内に嵌め込まれたパネルとから成る。また引戸３は、例えば上枠１ａに配設された収納レールを走行するランナーを介して走行自在にすることもできる。実施形態の引戸３は、非吊り下げ方式である。
【００１５】
図１を基準にすると、左側が戸先部３ａで、この戸先部３ａの中央部にはハンドルユニット４が設けられている。このハンドルユニット４は、図１０及び図１１で示すように、例えば戸先部３ａに固定された縦長ケース状のハンドルベース４ａと、該ハンドルベース４ａに軸支されたＬ型の縦長ハンドル４ｂと、該縦長ハンドル４ｂの軸部に直交するように取付けられていると共に、前記ハンドルベース４ａに収納された蹴り出し杆４ｃと、該蹴り出し杆４ｃの先端部に設けられた蹴り出しローラ４ｅとから成る。
【００１６】
ハンドルユニット４は、テコの原理を採用しているので、閉戸時、図１１で示すように縦長ハンドル４ｂを引くように操作すると、蹴り出しローラ４ｅが戸先面から飛び出し、引戸の引き込み装置５０のバネ部材のバネ力に抗して戸先部側の縦枠１ｃを蹴る。したがって、図１は引戸３が開放している状態を示す。
【００１７】
５は引戸３の上框３ｃに固着具を介して固定された押圧片で、該押圧片５の上端部５ａの一部は内側に突出する当り部分（押圧部分）６となっており、前記上框３ｃの上辺から所要量突出している。一方、該押圧片５の下端部５ｂは略逆三角形に形成され、該下端部５ｂの内面には被係合部材７が設けられている。該被係合部材７は引戸３を手動で矢印Ａ方向へ移動させた際、該引戸３が完全に閉じる直前（少なくとも指や手を挟まない前）に於いて、上枠１ａの閉戸側に水平状態に配設された引戸の引き込み装置５０の捕捉部材に保持される。
【００１８】
前述したように、実施形態の引戸の開閉装置Ｘは、基本的には「制動装置１２」と、「引戸の引き込み装置５０」とから成るが、例えば制動装置１２は引戸の引き込み装置５０よりもさらに上枠１ａの閉戸側に配設されている。制動装置１２は、例えば上枠１ａの内部に一つのユニットとして水平状態に配設されている。図２は制動装置１２の正面視から示す概略説明図（引戸の押圧片も図示）である。
【００１９】
まず、図２乃至図９を参照にして、制動装置１２を説明する。１１は断面及び端面がコ字型に形成された長尺状固定枠（以下、「固定枠」という）で、この固定枠１１は収納ケースの役割を果たす。つまり、制動装置１２の取付けの容易性を考慮し、該固定枠１１内に主な構成部材を組み込んでいる。またコ字型に形成されている理由は、図２で示す引戸側の押圧片５が矢印で示す方向へ水平移動してきた場合に、その上端部５ａの押圧部分６が、長杆スライダー１４の後端部を押付けながら固定枠１１の中に入り込むからである。固定枠１１の垂直面１１ａには、案内ピン、支軸等が設けられているが、後述する。
次に、固定枠１１内には、引戸３の閉動中に該引戸３に対してブレーキを掛ける第１復帰機構１３及び第２復帰機構１６を有する制動装置１２と、該制動装置用のロック装置４０とが組み込まれている。
【００２０】
実施形態では、装置のユニット化を図るために、固定枠１１内に、引戸３の閉動中に該引戸３に対して基本的なブレーキを掛ける緩衝部材としてのオイルダンパーａとダンパーシャフトｂが水平方向に配設されている（例えば図４参照）と共に、第１復帰機構１３、第２復帰機構１６、制動装置用のロック装置４０等の各部材が組み込まれている。
【００２１】
前記第１復帰機構１３は、長杆スライダー１４と、該長杆スライダー用の第１復帰バネ１５とから成り、また前記第２復帰機構１６は前記長杆スライダー１４を支持する基板スライダー１７と、該基板スライダー用の第２復帰バネ１８とから成る。
【００２２】
しかして、長杆スライダー１４は、基板スライダー１７と略同じ長さか又はそれ以上の長さが望ましく、実施形態では略同長であり、後端部に小突起状の受け部分２４を一体的又は調整可能に螺着することにより、若干基板スライダー１７よりも長く設定されている。
【００２３】
この長杆スライダー１４は基板スライダー１７の垂直面１７ａの中央部に固定された水平支持レール１９に把持状態に外嵌合し、該水平支持レール１９に沿って進退動自在である。前記水平支持レール１９は、例えば図４で示すように、レール部分１９ａと、該レール部分１９ａの両端部或いは両端部寄りの部位に設けられた複数の取付け突片１９ｂとを有し、前記取付け突片１９ｂを介して基板スライダー１７に固定されている。
【００２４】
さらに、長杆スライダー１４は、先端部から連設部位の略中央部にかけて第１案内長孔２０を有し、該第１案内長孔２０に上述したレール部分１９ａの第１係止ピン２１が係合し、また、前記略中央部から後端部にかけて第２案内長孔２２を有し、該第２案内長孔２２にもレール部分１９ａの第２係止ピン２３が係合している。
付言すると、実施形態では、長杆スライダー１４が移動中にガタガタ揺れないように、基板スライダー１７の垂直面１７ａには複数個の案内ピン２１、２３を有する水平支持レール１９が固設され、該水平支持レール１９に外嵌合する長杆スライダー１４は、その前後一対の案内長孔２０、２２が前記案内ピン２１、２３に係合した状態で前記水平支持レール１９に支持されている。
【００２５】
次に、長杆スライダー用の第１復帰バネ１５の一端部は、長杆スライダー１４の先端部に突設したバネ端支持片２５に連結され、一方、他端部は基板スライダー１７の略中央部又は水平支持レール１９の取付け突片１９ｂのいずれかに連結されている。これに対して、基板スライダー用の第２復帰バネ１８は、基板スライダー１４の先端部の下方に突設したバネ端支持片２６に連結され、一方、他端部は固定枠１１の略中央部に設けたバネ端支持片２７に連結されている。
【００２６】
これらの第１復帰バネ１５及び第２復帰バネ１８は、閉動中の引戸３に対して押圧片５を介して補助的であるが制動力（ブレーキ）を掛ける機能も有する部材である。実施形態では、引戸３の閉動の初期段階では比較的緩くブレーキを掛け、引戸３の戸先部３ａが閉戸時側の縦枠１ｃに衝突する所望の直前までに比較的強くブレーキを掛けることができるようにバネ力を適宜に設定することができる。
【００２７】
もちろん、押圧片５が長杆スライダー１４の受け部分１４に当たった際、ダンパーシャフトｂが図４の矢印方向へ押されるので、基本的にはオイルダンパーａの緩衝力が作用する。
【００２８】
第１復帰バネ１５及び第２復帰バネ１８は、共に制動的作用、復帰的作用、硬性的作用を有する材質で成形され、実施形態では、引戸３の閉動中に緩衝部材ａ、ｂと共に制動的作用を発揮するコイルバネである。
【００２９】
次に、基板スライダー１７は固定枠１１よりも短いものの、該固定枠１１と同様に長尺状の板体であり、垂直面１７ａに連結する上端縁部１７ｂは内側（手前側）に略直角に折り曲げ形成され、水平移動する際、該上端縁部１７ｂは固定枠１１の上端板部分１１ｂに案内される。
【００３０】
また水平移動する際、基板スライダー１７もガタガタしないように、例えば略中央部と後端部に上下一対の水平案内長孔２８、２８を形成し、これらの水平案内長孔２８、２８には固定枠１１に設けた案内ピン２９、２９が係合している。
【００３１】
前述したように、基板スライダー１７は、その先端部の下辺に第２復帰バネ１８用のバネ端支持片２６を有するが、後端部にもバネ端支持片３０が設けられ、該バネ端支持片３０には水平可動係合板３１を連結するバネ部材（引っ張りバネ）３２の後端部を支持する。
【００３２】
さらに、基板スライダー１７の後端部乃至後端部寄りの部位には、合計３個の案内機能を有する固定ピン３３が散点状に設けられ、これらの散点状の固定ピン３３は、基板スライダー１７の垂直面１７ａに添設した前記水平可動係合板３１の散点状案内長孔３４にそれぞれ係合している。実施形態では、一番後方に位置する固定ピン３３に、後述するロック装置４０の揺動レバー４１の係合端部が係脱する。
【００３３】
次に、図５を参照にしてロック装置４０を説明する。ロック装置４０は、基板スライダー１７の後端部の下端部側に配設されかつバネ部材（引っ張りバネ）３２を介して基板スライダー１７の後端部に連結された水平可動係合板３１と、該水平可動係合板３１を案内する一つの固定ピン３３と、固定枠１１の中央部寄りの部位の下端部に設けられた支軸３５に基端部が軸支されかつ係合端部寄りの部位に突設された突起状係合部４２を有する揺動レバー４１と、該揺動レバー４１を前記固定ピン３３に係合する方向へ常時付勢することができるように前記支軸３５に巻装された付勢バネ３６とから成る。
【００３４】
しかして、水平可動係合板３１は、外周面の複数の段差面を有する板体で、後端部の上方に段差状に形成された垂直受け面３１ａに押圧片５の押圧部分６が衝突する当り面である。また、略中央部の傾斜面３１ｂが揺動レバー４１の突起状係合部４２用の当たり面である。
【００３５】
このように、本実施形態の水平可動係合板３１は、基板スライダー１７の案内機能を有する複数個の固定ピン３３とそれぞれ係合する水平案内長孔３４を有すると共に、押圧片用の当たり面３１ａ及びロック装置４０の揺動レバー４１の突起状係合部４２と係合する傾斜面３１ｂを有する。
【００３６】
次に、図６は第１復帰機構１３の作用を示す説明図である。図１で示すように引戸１を矢印Ａ方向に閉めると、閉動中に押圧片５の押圧部分６の先端垂直面が長杆スライダー１４の後端部の受け部分２４に当たる。そうすると、長杆スライダー１４は前後一対の案内手段２８、２９に案内されながら水平支持レール１９のレール部分１９ａをスライドする。この時、第１復帰バネ１５は、その収縮しようとするバネ力に抗して伸長するので、押圧片５を介してまず第１復帰バネ１５の制動力が多少作用する。
【００３７】
次いで、長杆スライダー１４が移動中、図７で示すように、押圧片５が水平可動係合板３１の垂直受け面３１ａに当たると、水平可動係合板３１は押圧片５に押され、バネ部材（引っ張りバネ）３２のバネ力に抗して矢印Ａ方向に案内手段３３、２４を介して前進し始める。水平可動係合板３１が前進すると、その傾斜面３１ｂでもって突起係合部４２を押し下げることから、揺動レバー４１は矢印Ｂ方向（反時計方向）に付勢バネ３６のバネ力に抗して回転する。その結果、揺動レバー４１の係合端部は固定ピン３３から直ちに離れる。
【００３８】
図８はロック装置４０の解除開始から第２復帰機構１６の制動力が緩衝部材ａ、ｂと共に作用する流を示す説明図である。図８から明らかなように、第１復帰バネ１５の比較的弱い制動力が引戸３に作用した後、水平可動係合板３１の前進移動を介して揺動レバー４１のロックから開放された基板スライダー１７は、位置変位する水平可動係合板３１の牽引力によって前進し始める。
【００３９】
そうすると、今度は第２復帰バネ１８の制動力がそれなりに引戸３に作用し、引戸３は次第に減速して引戸３が完全に閉鎖するようにアシストする引き込み装置５０の所まで前進する。実施形態では、引戸３の押圧片５の被係合部材７が引き込み装置５０の捕捉部材にキャッチされると、牽引手段によって引き込まれ、完全に閉鎖する。
なお、図９は引戸３が開く方向に移動してロック装置４０の揺動レバー４１が第２復帰機構１６の基板スライダー１７の固定ピン３３をロックする説明図であり、この場合、水平可動係合板３１は、バネ部材（引っ張りバネ）３２によって初期位置に戻される。
【００４０】
次に、図１２乃至図２１を参照にして引き込み装置５０について説明する。引き込み装置５０は、前述した第１長尺固定枠１１とは別個の第２長尺固定枠５１内に全ての構成部材がユニット的に組み込まれ、前記構成部材は、前記第２長尺固定枠５１の先端部に回転可能に設けられ、かつ引き込み荷重を制御する回転部材５５と、この回転部材５５と前記第２長尺固定枠５１の水平案内部５２に案内される捕捉部材５６にそれぞれ連結された第１索条部材５７と、その後端部（図面右側）が前記第２長尺固定枠５１に、一方、その先端部（図面左側）が第２索条部材５８を介して前記回転部材５５に連結された引き込みバネ５９とから成る。
【００４１】
回転部材５５は横軸６５に軸支されたプーリーであり、捕捉部材５６を構成する受け止め片６３が、閉動する引戸３の被係合部材７をキャッチし、その状態で第２長尺固定枠５１からの係止状態が解かれとき、第２索条部材５８側の引き込みバネ５９の引張力により回転しながら捕捉部材５６側の第１索条部材５７を巻き取る一方、前記第２索条部材５８を伸ばしていく。そして、好ましくは、回転部材５５は、横軸６５の軸方向に第１索条部材５７を巻き取る、半径が大きい或いは偏芯の第１周胴部５５ａと、該第１周胴部に一体に設けられ、かつ前記第１周胴部５５ａよりも半径が小さい或いは同芯円状に形成されていると共に、第２索条部材５８を繰出す第２周胴部５５ｂを有し、前記第１周胴部５５ａの第１索条部材５７を巻き取る量が前記第２周胴部５５ｂの第２索条部材５８を繰出す量よりも多くなるように構成されている。
【００４２】
さらに、各構成部材を説明すると、５１は第１長尺固定枠とは別個の第２長尺固定枠で、該第２長尺固定枠５１も第１長尺固定枠１１と同様に端面コ字型に形成されている。この端面コ字型内に押圧片５の小突起状の被係合部材７が入り込み、又は前記被係合部材７は端面コ字型内から離れて行く。図１は引戸３が開いている状態であるから、押圧片５の被係合部材７は制動装置１２の第１長尺固定枠１１及び引戸の引き込み装置５０の第２長尺固定枠５１の両方から離れている。
【００４３】
５２は第２長尺固定枠５１の先端部寄りの部位から略中央部まで形成された水平案内部で、実施形態では水平案内長孔が採用されている。この水平案内部５２には、図１３で示すように上下方向、実施形態では上方に垂直係止部としての垂直長孔が形成され、該垂直係止部５３は水平案内部５２の中途部に形成されかつ該水平案内部５２に連通している。
実施形態の引き込み装置５０は、第２長尺固定枠５１内に全ての構成部材がユニット的に組み込まれている。しかして、前記構成部材は、例えば図１２で示すように、第２長尺固定枠５１の先端部に回転可能に設けられかつ引き込み荷重を制御する回転式回転部材５５と、この回転式回転部材５５と第２長尺固定枠５１の水平案内部５２に案内される捕捉部材５６にそれぞれ連結された第１索条部材５７と、第２長尺固定枠５１及び前記回転式回転部材５５に連結された第２索条部材５８にそれぞれ連結された引き込みバネ５９とから成り、前記捕捉部材５６は、図１４で示すように第２長尺固定枠５１の水平案内部５２に係合すると共に第１索条部材５７伸長端部５７ａに連結されたやや長板状の捕捉スライダー６０と、該捕捉スライダー６０に基部が横軸６１を介して軸支され、かつ、前記水平案内部５２に連通する垂直係止部５３に係脱する係合ピン６２を有すると共に、前記基部に連設する指状キャチ部分が外方向に延在する受け止め片６３と、該受け止め片６３と前記捕捉スライダー６０にそれぞれ端部が連結された受け止め片用復帰バネ６４とから成る。
【００４４】
しかして、前記受け止め片６３は、幅広板体に形成された回転体であり、指状キャチ部分は、実施形態では、小突起状被係合部材７が接近或いは離脱する側（図面上右）の親指状第１係止指６３ａと、該親指状第１係止指６３ａに対向する人差し指状第２係止指６３ｂ（図面上左）とから成る。
【００４５】
また前記回転部材５５は、例えば巻取り用周溝と繰出し用周溝とを有する二重構造体でかつ一つの横軸６５に軸支され、好ましくは、偏芯プーリー状の第１周胴部５５ａと、該第１周胴部に一体に設けられ、かつ前記第１周胴部５５ａよりも半径が小さいか或いは同芯プーリー状の第２周胴部５５ｂから成る。このように構成すると、引戸３を完全に閉鎖することができるように、引き込み装置５０を構成する回転部材５５が、第１索条部材５７を巻き取る際、第２索条部材５８の繰出す量を極力少なくして引き込みバネ５９の引込み力を低下させない（バネ力を弱くしない）ことができる。つまり、図２０の矢印で示すように、回転部材５５が反時計方向に回転すると、第１索条部材５７の方が多く巻き取られ（短くなる）一方、回転部材５５から繰出される第２索条部材５８がそれなりに繰出されても、、第１索条部材５７の巻取り量が第２索条部材５８の伸ばし量よりも多くなるので、引き込みバネ（圧縮ばね）５９が圧縮しても、引込み力が極端に低下しない。
【００４６】
以上のように、回転部材５５は、図１８及び図１９で示すように、補足部材５６の受け止め片６３が閉動する引戸３の被係合部材７をキャッチし、その状態で第２長尺固定枠５１の垂直係止部５３からの係止状態が解かれとき、引き込みバネ５９の引張力により回転しながら上方に位置する第１索条部材５７を巻き取る一方、所要量巻装している下方の第２索条部材５８を繰出していく。なお、図２０は引き込み終了の説明図、図２１は捕捉部材５６の受け止め片６３が垂直係止部５３に係止される状態の説明図である。
【実施例】
【００４７】
回転部材の第１周胴部５５ａと第２周胴部５５ｂは、一体成形しても良く、或いは両周胴部５５ａ、５５ｂを別個に形成し、固定手段や係合手段に共働回転するように一体的に構成しても良い。要は、回転部材５５は横軸６５の軸方向に第１索条部材５７を巻き取る第１周胴部５５ａと、該第１周胴部に一体に設けられかつ第２索条部材５８を繰出す第２周胴部５５ｂとを有し、前記第１周胴部の第１索条部材を巻き取る量が第２周胴部の第２索条部材を繰出す量よりも多くなれば良い。
【００４８】
また  実施形態では、望ましくはハンドルユニット４を戸先部３ａに設けているが、該ハンドルユニット４に代えて普通一般の固定ハンドルを設けても良い。また、戸枠１の上枠１ａに引戸の開閉装置Ｘを配設しているが、戸枠１の下枠１ｂに配設しても良い。この場合には、引戸の押圧片は当然下枠１ｂに固定される。
【産業上の利用可能性】
【００４９】
本発明は、錠前や建具の分野で利用することができる。
【符号の説明】
【００５０】
Ｘ…引戸の開閉装置、ａ、ｂ…緩衝部材（ａ…オイルダンパー、ｂ…ダンパーシャフト）、１１…戸枠、１ａ…上枠、２…開口部、３…引戸、３ａ…戸先部、４…ハンドルユニット、５…押圧片、６…押圧部分、１１…長尺固定枠、１２…制動装置、１３…第１復帰機構、１４…長杆スライダー、１５…第１復帰バネ、１６…第２復帰機構、１７…基板スライダー、１８…第２復帰バネ、１９…水平支持レール、３１…水平可動係合板、３１ａ…押圧片用の当たり面、３１ｂ…揺動レバーの傾斜面、３２…バネ部材、３３…固定ピン、４０…ロック装置、４１…揺動レバー、４２…揺動レバーの係合部、５０…引戸の引き込み装置、５０…引き込み装置、５１…第２長尺固定枠、５２…水平案内部、５３…垂直係止部、５５…回転部材、５５ａ…第１周胴部、５５ｂ…第２周胴部、５６…捕捉部材、５７…第１索条部材５７、５８…第２索条部材、５９…引き込みバネ、６０…捕捉スライダー、６２…係合ピン、６３…受け止め片、６４…受け止め片用復帰バネ。